【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
複数の製品の在庫量を、決められた総在庫額条件を満たすよう調整する在庫調整支援を行う情報処理装置であって、
前記複数の製品の在庫の前記総在庫額条件を設定する第１の設定手段と、
製品の利益額と製品の在庫増加額を用いて算出される管理キャッシュフローと、前記製品の欠品の発生率と欠品数とを用いて算出される機会損失利益と、を用いて、前記製品の機会損失込キャッシュフローを算出する算出手段と、
前記第１の設定手段で設定された総在庫額条件を満たすよう、前記複数の製品の在庫量の調整を行う在庫量調整手段と、
を備え、
前記在庫量調整手段は、
前記製品の在庫量を増加または減少させることにより当該製品の在庫量を仮調整する在庫量仮調整手段と、
前記在庫量仮調整手段による在庫量の仮調整前の製品の在庫量に従って前記算出手段により算出される当該製品の会損失込キャッシュフローと、前記在庫量仮調整手段による在庫量の仮調整を行った後の在庫量に従って算出手段により算出される機会損失込キャッシュフローとを比較することで、前記在庫量仮調整手段による仮調整後の製品の在庫量がより適切な在庫量であるかを判断する判断手段と、
前記判断手段で前記在庫量仮調整手段による仮調整後の製品の在庫量がより適切な在庫量であると判断した場合に、前記在庫量仮調整手段により仮調整された在庫量で前記製品の在庫量を更新する更新手段と、
を含み、
前記在庫量仮調整手段、判断手段、及び更新手段による処理を繰り返し行うことで、製品の在庫量が前記総在庫額条件を満たすよう前記複数の製品の在庫量の調整を行う
ことを特徴とする情報処理装置。
【請求項２】
前記在庫量仮調整手段による在庫量の仮調整の単位を設定する第２の設定手段をさらに備え、
前記在庫量仮調整手段は、前記第２の設定手段で設定された仮調整の単位分を製品の在庫量を増加または減少させることで、前記製品の在庫量を仮調整する
ことを特徴とする請求項１に記載の情報処理装置。
【請求項３】
前記判断手段が、前記在庫量仮調整手段により前記製品の在庫量を前記仮調整の単位分増加させた仮調整後の在庫量、及び、前記仮調整の単位分減少した仮調整後の仮調整後の在庫量のいずれもが、仮調整前の在庫量よりも適切な在庫量ではないとした場合に、前記第２の設定手段は、従来の仮調整の単位よりも少ない仮調整の単位を前記仮調整の単位として新たに設定し、
前記在庫量仮調整手段は、前記第２の設定手段により新たに設定された仮調整の単位分を製品の在庫量を増加または減少させることで、前記製品の在庫量を仮調整する
ことを特徴とする請求項２に記載の情報処理装置。
【請求項４】
前記複数の製品を複数のカテゴリに分類するための分類条件を受け付ける受付手段と、
前記受付手段により受け付けた分類条件に従って、前記複数の製品のそれぞれを前記カテゴリに分類する分類手段と、
を備え、
前記カテゴリには、前記在庫量調整手段により在庫の調整を行う優先順情報が設定されており、
前記在庫量調整手段は、前記カテゴリに設定された優先順情報で示される優先順にそれぞれのカテゴリに分類された前記製品の在庫量の調整を行うこと
を特徴とする請求項１乃至３のいずれか１項に記載の情報処理装置。
【請求項５】
前記第１の設定手段は、前記総在庫額条件として、総在庫下限額及び総在庫上限額を設定し、
前記カテゴリには、前記優先順情報として在庫量の削減優先順及び在庫量の増加優先順が設定されており、
前記在庫量調整手段は、前記総在庫下限額に達するまで前記カテゴリに設定された前記削減優先順に、其々カテゴリに分類された前記製品の在庫量を減少させることで在庫量の調整を行い、その後、前記総在庫上限額に達するまで、前記カテゴリに設定された在庫量の前記増加優先順に、其々のカテゴリに分類された製品の在庫量を増加させることで在庫量の調整を行うこと
ことを特徴とする請求項４に記載の情報処理装置。
【請求項６】
前記在庫量調整手段による在庫量の調整を行う対象とする製品を指定する第１の指定手段をさらに備え、
前記在庫量調整手段は、前記第１の指定手段で指定された製品の在庫量の調整を行うこと
を特徴とする請求項１乃至５のいずれか１項に記載の情報処理装置。
【請求項７】
前記在庫量調整手段による在庫量の調整を行う対象とする期間を指定する第２の指定手段をさらに備え、
前記在庫量調整手段は、前記第２の設定手段で設定された前記期間における製品の在庫量の調整を行うこと
を特徴とする請求項１乃至６のいずれか１項に記載の情報処理装置。
【請求項８】
前記在庫量調整手段による在庫量調整の結果を表示部に表示する表示制御を行う表示手段を
さらに備えることを特徴とする請求項１乃至７のいずれか１項に記載の情報処理装置。
【請求項９】
複数の製品の在庫量を、決められた総在庫額条件を満たすよう調整する在庫調整支援を行う情報処理装置によって行われる情報処理方法であって、
前記複数の製品の在庫の前記総在庫額条件を設定する第１の設定工程と、
製品の利益額と製品の在庫増加額を用いて算出される管理キャッシュフローと、前記製品の欠品の発生率と欠品数とを用いて算出される機会損失利益と、を用いて、前記製品の機会損失込キャッシュフローを算出する算出工程と、
前記第１の設定工程で設定された総在庫額条件を満たすよう、前記複数の製品の在庫量の調整を行う在庫量調整工程と、
を備え、
前記在庫量調整工程は、
前記製品の在庫量を増加または減少させることにより当該製品の在庫量を仮調整する在庫量仮調整工程と、
前記在庫量仮調整工程による在庫量の仮調整前の製品の在庫量に従って前記算出工程で算出される当該製品の機会損失込キャッシュフローと、前記在庫量仮調整工程による在庫量の仮調整を行った後の在庫量に従って算出工程で算出される機会損失込キャッシュフローとを比較することで、前記在庫量仮調整工程による仮調整後の製品の在庫量がより適切な在庫量であるかを判断する判断工程と、
前記判断工程で前記在庫量仮調整工程による仮調整後の製品の在庫量がより適切な在庫量であると判断した場合に、前記在庫量仮調整工程で仮調整された在庫量で前記製品の在庫量を更新する更新工程と、
を含み、
前記在庫量仮調整工程、判断工程、及び更新工程による処理を繰り返し行うことで、製品の在庫量が前記総在庫額条件を満たすよう前記複数の製品の在庫量の調整を行う
ことを特徴とする情報処理方法。
【請求項１０】
コンピュータを、
複数の製品の在庫量を、決められた総在庫額条件を満たすよう調整する在庫調整支援を行う情報処理装置として機能させるためのコンピュータプログラムであって、
前記コンピュータを、
前記複数の製品の在庫の前記総在庫額条件を設定する第１の設定手段と、
製品の利益額と製品の在庫増加額を用いて算出される管理キャッシュフローと、前記製品の欠品の発生率と欠品数とを用いて算出される機会損失利益と、を用いて、前記製品の機会損失込キャッシュフローを算出する算出手段と、
前記第１の設定手段で設定された総在庫額条件を満たすよう、前記複数の製品の在庫量の調整を行う在庫量調整手段として機能させ、
前記在庫量調整手段は、
前記製品の在庫量を増加または減少させることにより当該製品の在庫量を仮調整する在庫量仮調整手段と、
前記在庫量仮調整手段による在庫量の仮調整前の製品の在庫量に従って前記算出手段により算出される当該製品の会損失込キャッシュフローと、前記在庫量仮調整手段による在庫量の仮調整を行った後の在庫量に従って算出手段により算出される機会損失込キャッシュフローとを比較することで、前記在庫量仮調整手段による仮調整後の製品の在庫量がより適切な在庫量であるかを判断する判断手段と、
前記判断手段で前記在庫量仮調整手段による仮調整後の製品の在庫量がより適切な在庫量であると判断した場合に、前記在庫量仮調整手段により仮調整された在庫量で前記製品の在庫量を更新する更新手段と、
を含み、
前記在庫量仮調整手段、判断手段、及び更新手段による処理を繰り返し行うことで、製品の在庫量が前記総在庫額条件を満たすよう前記複数の製品の在庫量の調整を行う
ことを特徴とするコンピュータプログラム。
【請求項１１】
請求項１０に記載したコンピュータプログラムを記憶したコンピュータにより読み取り可能な記憶媒体。
【手続補正２】
【補正対象書類名】明細書
【補正対象項目名】発明の名称
【補正方法】変更
【補正の内容】
【発明の名称】情報処理装置、情報処理方法、コンピュータプログラム及び記憶媒体
【手続補正３】
【補正対象書類名】明細書
【補正対象項目名】０００１
【補正方法】変更
【補正の内容】
【０００１】
本発明は、複数製品間の在庫調整の支援を行うための情報処理装置、情報処理方法、コンピュータプログラム、及び記憶媒体に関する。
【手続補正４】
【補正対象書類名】明細書
【補正対象項目名】０００９
【補正方法】変更
【補正の内容】
【０００９】
そこで、本発明にかかる情報処理装置は、複数の製品の在庫量を、決められた総在庫額条件を満たすよう調整する在庫調整支援を行う情報処理装置であって、前記複数の製品の在庫の前記総在庫額条件を設定する第１の設定手段と、製品の利益額と製品の在庫増加額を用いて算出される管理キャッシュフローと、前記製品の欠品の発生率と欠品数とを用いて算出される機会損失利益と、を用いて、前記製品の機会損失込キャッシュフローを算出する算出手段と、前記第１の設定手段で設定された総在庫額条件を満たすよう、前記複数の製品の在庫量の調整を行う在庫量調整手段と、を備え、前記在庫量調整手段は、前記製品の在庫量を増加または減少させることにより当該製品の在庫量を仮調整する在庫量仮調整手段と、前記在庫量仮調整手段による在庫量の仮調整前の製品の在庫量に従って前記算出手段により算出される当該製品の会損失込キャッシュフローと、前記在庫量仮調整手段による在庫量の仮調整を行った後の在庫量に従って算出手段により算出される機会損失込キャッシュフローとを比較することで、前記在庫量仮調整手段による仮調整後の製品の在庫量がより適切な在庫量であるかを判断する判断手段と、前記判断手段で前記在庫量仮調整手段による仮調整後の製品の在庫量がより適切な在庫量であると判断した場合に、前記在庫量仮調整手段により仮調整された在庫量で前記製品の在庫量を更新する更新手段と、を含み、前記在庫量仮調整手段、判断手段、及び更新手段による処理を繰り返し行うことで、製品の在庫量が前記総在庫額条件を満たすよう前記複数の製品の在庫量の調整を行うことを特徴とする。
【手続補正５】
【補正対象書類名】明細書
【補正対象項目名】００１０
【補正方法】変更
【補正の内容】
【００１０】
また、本発明は、情報処理方法、コンピュータプログラム、及び記憶媒体としてもよい。